(57)【要約】      （修正有）【課題】リフト装置の重量を低減し取扱いの容易な、荷物を垂直に持ち上げるための装置を提供する。【解決手段】ベース１と、該ベースから延出した少なくとも１つのジブ２と、前記ベースから前記ジブの先端の周りへ案内された少なくとも１つのケーブル３と、前記ジブの先端の周りに案内されたケーブルの先端に取り付けられているか又は取付け可能な荷物を掴むか又は固定するための少なくとも１つの装置４とを備え、前記ケーブルは、合成繊維ケーブルである。【選択図】図１
2011098834.tif 000002
【特許請求の範囲】
【請求項１】
ベースと、
該ベースから延出する少なくとも１つのジブと、
前記ベースから前記ジブの先端の周りへ案内される少なくとも１つのケーブルと、
前記ジブの先端周りに案内された前記ケーブルの先端に取り付けられているか又は取付け可能であり、荷物を掴むか又は固定するための少なくとも１つの装置と、を備えた、荷物を垂直に持ち上げるための装置、好ましくはクレーンであり、
前記ケーブルは、合成繊維ケーブルであることを特徴とする装置。
【請求項２】
前記ジブは、前記ベースに対して相対的に且つ／又は前記ベースと共に移動可能であることを特徴とする請求項１に記載の装置。
【請求項３】
前記合成繊維ケーブルはＨＭＰＥ繊維からなることを特徴とする請求項１または２に記載の装置。
【請求項４】
前記ケーブルにはシースが設けられ、該ケーブルとシースとは同じ合成繊維からなることを特徴とする請求項１〜３のいずれかに記載の装置。
【請求項５】
前記シースは、前記ケーブルとは異なる合成繊維またはプラスチック繊維からなることを特徴とする請求項４に記載の装置。
【請求項６】
前記シースは、前記合成繊維ケーブルとは異なる色からなり、
少なくとも１箇所における前記シースの摩耗は、前記合成繊維ケーブルを交換する必要があることを示すことを特徴とする請求項４または５に記載の装置。
【請求項７】
前記合成繊維ケーブルには、異なる金属または非金属の材料からなる繊維が付加的に織り込まれていることを特徴とする請求項１〜６のいずれかに記載の装置。
【請求項８】
前記付加的な繊維は、ガラス繊維、炭素繊維または銅繊維であることを特徴とする請求項７に記載の装置。
【請求項９】
少なくとも１つの前記付加的な導電性繊維は、該繊維に何らかの破損があるか否かを測定によって確認するために測定装置に接続可能であり、前記繊維における破損が、前記合成繊維ケーブルの例えば曲げによる伸び過ぎ又は他の損傷の示唆となり得ることを特徴とする請求項７または８に記載の装置。
【請求項１０】
前記合成繊維ケーブル内に、偽造防止コードが織り込まれていることを特徴とする請求項１〜９のいずれかに記載の装置。
【請求項１１】
少なくとも前記合成繊維は、コーティング又は仕上げ材で被覆されていることを特徴とする請求項１〜１０のいずれかに記載の装置。
【請求項１２】
前記合成繊維ケーブルの密度は１ｋｇ／ｄｍ３以下であることを特徴とする請求項１〜１１のいずれかに記載の装置。
【請求項１３】
前記装置は、前記ケーブルを巻き上げたりほどいたりするためのウインチを有し、
該ウインチは、合成繊維ケーブルの巻き上げのために特別に適合していることを特徴とする請求項１〜１２のいずれかに記載の装置。
【請求項１４】
前記合成繊維ケーブルは、最大限でも８０ｍｍの直径を有することを特徴とする請求項１〜１３のいずれかに記載の装置。
【請求項１５】
前記合成繊維ケーブルは３０ｍｍ以上６０ｍｍ以下の直径を有することを特徴とする請求項１〜１４のいずれかに記載の装置。
【発明の詳細な説明】
【技術分野】
【０００１】
本発明は、荷物を垂直に持ち上げるための装置、好ましくはクレーン又は他の引き上げ機に関する。前記荷物はケーブルにより持ち上げられ、該ケーブルは合成繊維ケーブルである。
【背景技術】
【０００２】
多くの用途において合成繊維ケーブルが使用されることは公知である。かかるケーブルの開発が進むに連れて、該ケーブルが使用され得る適用範囲は拡がる。合成繊維ケーブルは、鋼鉄製ケーブルに比べて低重量で高強度であることにより、スポーツ、医療用途及び工業用布製品において安全なケーブルとしての使用に特に好適となっている。合成繊維ケーブルは、スポーツ分野および救命具で長く使用されてきた。しかしながら、最近、合成繊維ケーブルは、例えば、船を港へ引くこと、商業漁業、林業およびケーブル敷設など、産業目的でも使用されている。合成繊維ケーブルは、水面に浮かび、これにより船のプロペラに絡まらないため、水中ケーブルの敷設に特に有用であることが分かっている。合成繊維ケーブル自体が低重量であるため、輸送重量と、ケーブルを巻き取るときに引き込むのに必要な重量を有利に低減できる。合成繊維ケーブルの別の利点は、条件にもよるが従来の鋼鉄製ケーブルよりも塩水に対する耐性があることである。
【発明の概要】
【０００３】
本発明の目的は、荷物を垂直に持ち上げるための装置を提案することである。
【０００４】
この目的は、請求項１において規定された装置により達成される。
【０００５】
請求項１に係る発明は、
ベースと、
該ベースから延出する少なくとも１つのジブと、
前記ベースから前記ジブの先端の周りへ案内される少なくとも１つのケーブルと、
前記ジブの先端周りに案内される前記ケーブルの先端に取り付けられるか又は取付け可能であり、荷物を掴むか又は固定するための少なくとも１つの装置と、を備えた、荷物を垂直に持ち上げるための装置、好ましくはクレーンであり、
前記ケーブルは、合成繊維ケーブルであることを特徴とする。
【図面の簡単な説明】
【０００６】
【図１】合成繊維ケーブルを備えたクレーンを示す図である。
【発明を実施するための形態】
【０００７】
本発明により提案される装置は、荷物を垂直に持ち上げるための装置、好ましくはクレーンである。該クレーンは、車両の上に取り付けられた可動式クレーン、又は、輸送されて立てられ得る公知の構造のクレーンであってもよい。また一方で、前記装置は、建物または支持構造体の上または中に固定して取り付けられて、エレベータ又はパッセンジャーリフトを持ち上げたり下げたりしてもよい。本発明の範囲内において、垂直に持ち上げるという言い回しは、例えばスキー場のリフト、ケーブルカー又は山腹上のリフトなど、傾斜面に平行に直線状に引っ張る動作も指すことが意図される。
【０００８】
前記装置は、ベースと、該ベースから延出するジブとを有する。該装置はまた、前記ベースから前記ジブの先端周りへ案内されるケーブルと、荷物を掴むか又は固定するための装置とを有し、該装置は、前記ジブの先端周りに案内されたケーブルの先端に取り付けられているか又は取付け可能となっている。前記ケーブルは合成繊維ケーブルである。
【０００９】
前記ジブは前記ベースに対して相対移動可能であることが望ましい。これにより、前記ジブは、前記ベースに対して上向き又は下向きに旋回可能となるか、又は、前記ベースの面に対して本質的に垂直に延びる回転軸周りに前記ベースに対して相対回転可能となる。また、前記ベースが前記ジブと共に共通の回転軸周りに回転することも可能である。該ジブは、伸縮自在の構造を有してもよい。
【００１０】
前記合成繊維ケーブルは、好ましくはＨＭＰＥ繊維またはＨＰＰＥ繊維からなるケーブルである。しかしながら、本発明は、これらの具体的な合成繊維の使用に限定されるものでなく、代わりに、上述の合成繊維と同じか又は類似の特性を有する別の合成繊維の使用も含む。
【００１１】
水上に浮かぶことができ、摩耗強度、曲げ強度、及び引っ張り強さに関して極めて優れた特性を有し、前記合成繊維の中で最も紫外線抵抗性に優れた繊維の一つを有する合成繊維が、ＨＭＰＥ（高分子量ポリエチレン）材料の一群から製造され得る。ＨＭＰＥ繊維の化学的構造は、通常のポリエチレンと同程度の構造であるが、遙かに高い分子量と遙かに高い結晶化度を備えた構造である。
【００１２】
前記ケーブルは、シースを有してもよく、この場合、前記ケーブルとシースとは、同じ合成繊維で構成されてもよいし、前記シースは、前記ケーブル自体と異なる合成繊維またはプラスチック繊維で構成されてもよい。後者の選択肢は、特に、前記ケーブルの製造に使用された前記合成繊維を使用しても得ることができないか又は費用をかけなければ得られないスライド能力、摩耗強度、耐光性、又は蛍光面などといった特定の特性を示す必要がある場合に選択される。
【００１３】
また、前記シースが前記ケースと同じ材料からなるか又は異なる材料からなるかに関わらず、前記シースが異なる色からなる場合に実用上の利点がある。この点において、前記シース自体は、異なる色からなる異なる層を順に有してもよい。これにより、前記ケーブルに摩耗があるかどうかが、例えば見ただけで分かるようになる。前記シースの下に前記ケーブルが見えるようになるか又は前記シースの好適な色の層が見えるようになると、このことが、前記ケーブルの交換が必要であることの目安となる。
【００１４】
前記ケーブル自体には、例えば金属又は非金属の材料など、異なる材料からなる付加的な繊維が編み込まれるか又は織り込まれてもよい。これらは、ケーブルの引っ張り強度または曲げ強度などといった特定の特性を改善する例えばガラス繊維、炭素繊維または胴繊維であってもよい。とりわけ、前記ケーブルの完全性をテストするために、金属または他の導電性繊維が使用されてもよい。例えば、そのような繊維は、前記ケーブルの全長に亘って延び、測定装置に接続可能な始点と終点とを有してもよい。これにより、導電繊維が無傷であるか又はおそらく損傷しているかどうかを、測定により確認することができ、後者の場合、前記合成繊維ケーブルを交換する必要がある程度に、前記ケーブルが伸びすぎているか又は他の何らかの損傷を被っていることの目安となり得る。
【００１５】
偽造の合成繊維ケーブルの使用を防止するために、例えば、製造者の詳細、製造日、及び有効期限を含む偽造防止コードが前記ケーブルに織り込まれてもよく、前記偽造防止コードは、食料品及び衣料品に使用されるコードと同様、電子デバイスによりスキャン又は読み取り可能である。また一方で、前記コードは、例えば、特別なランプ又は視覚装置により検出可能であり、製品が本物であることを証明する色素であってもよい。
【００１６】
また、前記シースと、シースを含まない前記ケーブルとの色彩設計は、例えば、使用者の企業イメージに基づいてもよく、製造者または使用者の企業カラーを取り入れてもよい。
【００１７】
特に、寒冷（凍結）、湿気及び日光などといった環境の影響への前記合成繊維の耐性を改良するために、合成繊維ケーブル又はその一部を構成する繊維は、コーティング又は仕上げ材で被覆されてもよい。
【００１８】
前記合成繊維ケーブルの密度は１．５ｋｇ／ｄｍ３以下であることが好ましく、１ｋｇ／ｄｍ３以下であれば一層好ましい。前記合成繊維ケーブルは、最大限でも８０ｍｍの直径を有し、好ましくは、最大限で３０ｍｍ以上６０ｍｍ以下の直径を有する。
【００１９】
前記合成繊維ケーブルは、例えば、クレーンに使用される鋼鉄製ケーブルに取って代わることができるが、そのような状況において、前記合成繊維ケーブルは、それが取って代わる鋼鉄製ケーブルと本質的に同じ直径を有することが好ましい。結果として、前記クレーンの一部を案内する全てのガイドローラと他のケーブルとは変更する必要がなく、ケーブルを案内する部品を交換するための追加的なコストがかからないため、鋼鉄製ケーブルを合成繊維ケーブルに経済的に交換することができる。
【００２０】
しかしながら、このことは、合成繊維ケーブルを使用するために特別に作られたクレーン等の装置の場合において、合成繊維ケーブルに最適に適応しない材料を、前記合成繊維ケーブルが通る面（例えば滑車台）上で使用できないことを意味するものでない。ケーブルを案内する部品の直径と、該部品を構成する材料とが、上記のような新しい装置の場合における合成繊維ケーブルの使用に適応していれば、該装置は、鋼鉄製ケーブルと共に使用するために作られた装置に比べて全体的に軽量となる。
【００２１】
鋼鉄製ケーブルと同じ要件を満たすことを目的とする合成繊維ケーブルは直径に関して鋼鉄製ケーブルとは定格が異なり、異なる巻き特性を有するため、前記装置は、合成繊維ケーブルを巻くために特別に適合する１又は複数のウインチを有することが好ましい。かかるウインチは、同じケーブル長さの鋼鉄製ケーブルに要求される径よりも小径、ひいては重量がより小さく、特別に適応されたダブルキャプスタンウインチ又はドラムウインチであってもよい。
【００２２】
鉄の密度は、７．８５ｋｇ／ｄｍ３であるとき、好ましい合成繊維ケーブルの密度の約８倍に相当する。このことは、例えば、２９０ｍのケーブル長さにおいて、約６００ｋｇの重量差に相当する。比較的低い前記ケーブル自体の重量と、比較的軽量のケーブルドラムによる他の重量の利点とによって、前記装置の最大荷重は有利に増大し得る。
【００２３】
前記ベースにおいて又は前記ベースに隣接して、前記装置は、前記ケーブルドラムに連結されているか又は連結可能な駆動装置を有し、該駆動装置により、前記合成繊維ケーブルは、前記ケーブルドラム上に巻き付けられたり、該ケーブルドラムから解かれたりすることができる。
【００２４】
合成繊維の別の利点は、合成繊維ケーブルは、低重量であることにより鋼鉄製ケーブルよりも操作しやすく、鋼鉄製ケーブルとは違って、例えば荷物を吊すときに、突出した「ミートフック」により職員が負傷するリスクをもたらさないことである。合成繊維ケーブル自体の低重量により、配備中における負傷のリスクを全体的に低減する。
【実施例】
【００２５】
ここからは実施例に基づいて本発明を説明する。図面に関連して記載され且つ／又は図面に示される全ての特徴は、本発明の一部を形成する。図１には、合成繊維ケーブルを備えたクレーンが示されている。
【００２６】
図１は、ベース１とジブ２とケーブル３とを備えたクレーンを示す。ケーブル３は、１．５ｋｇ／ｄｍ３以下の密度と、最大限でも８０ｍｍの直径とを示す合成繊維ケーブル３である。合成繊維ケーブル３の一端は、前記クレーンのベース１に隣接するケーブルドラム６に接続され、他端は荷物５を持ち上げるためのピックアップ装置４に接続される。ケーブル３は、ガイドローラ７，８により、ベース１の頂部を通ってジブ２の先端へ案内されている。好ましくは、ジブ２は、例えば、ベース１に対して上向き若しくは下向きに旋回されたり、ベース１の長さ方向に伸びる回転軸周りにベース１に対して相対回転されたりするなど、ベース１に対して相対移動可能である。合成繊維ケーブルを使用することにより、リフト装置の重量が低減され、これにより、前記クレーンの全体的な荷重を有効に増大させることができる。合成繊維ケーブル３を使用することによる別の利点は、負傷のリスクを低減できることである。
【符号の説明】
【００２７】
１：ベース、２：ジブ、３：合成繊維ケーブル、４：ピックアップ装置、５：荷物、６：ケーブルドラム、７，８：ガイドローラ。
【図１】
2011098834.tif 000003
【外国語明細書】
2011098834.tif 000004
2011098834.tif 000005
2011098834.tif 000006
2011098834.tif 000007
2011098834.tif 000008
2011098834.tif 000009
2011098834.tif 000010
2011098834.tif 000011
2011098834.tif 000012
2011098834.tif 000013